(57)【要約】【課題】必要な能力を得るまでの時間を短縮し、快適性を向上できる空気調和装置を提供する。【解決手段】空気調和装置１は、圧縮機３を有する１台の室外機２に複数台の室内機１１をそれぞれ接続した空気調和装置１において、室内機１１の制御装置１６は、上記室内機１１の不足能力を算出する不足能力算出手段３３を有し、上記室外機２の制御装置８は、不足能力に基づいて圧縮機３を制御する指標となる制御指数を算出する制御指数算出手段３８および制御指数の最大値または合計値に応じて圧縮機の容量を制御する能力制御手段３９を有する。【選択図】図４
2009047367.tif 000002
【特許請求の範囲】
【請求項１】
圧縮機を有する１台の室外機に複数台の室内機をそれぞれ接続した空気調和装置において、
上記室内機の制御装置は、上記室内機の不足能力を算出する不足能力算出手段を有し、
上記室外機の制御装置は、上記不足能力に基づいて上記圧縮機を制御する指標となる制御指数を算出する制御指数算出手段および上記制御指数の最大値または合計値に応じて上記圧縮機の容量を制御する能力制御手段を有することを特徴とする空気調和装置。
【請求項２】
上記室内機の制御装置は、上記室内機の熱負荷を検知する熱負荷検知手段および上記室内機の能力を検知する能力検知手段を有し、
上記不足能力検出手段は、上記検知された熱負荷と上記検知された能力との差から不足能力を算出し、
上記室外機の制御装置は、上記各室内機の定格能力を判別する定格能力判別手段を有し、
上記制御指数算出手段は、上記室内機毎に上記定格能力に対する上記不足能力の不足能力比を上記制御指数として算出することを特徴とする請求項１に記載の空気調和装置。
【請求項３】
上記室内機の制御装置は、上記各室内機が設置される室内の温度を任意に設定する室内温度設定手段および上記室内の温度を検知する室内温度検知手段を有し、
上記不足能力検出手段は、上記設定された温度と上記検知された室内温度との差温を上記不足能力として算出し、
上記室外機の制御装置は、上記各室内機の定格能力を判別する定格能力判別手段を有し、
上記制御指数算出手段は、上記室内機毎に上記差温に上記定格能力を乗算した必要能力を上記制御指数として算出することを特徴とする請求項１に記載の空気調和装置。
【請求項４】
上記室内機の制御装置は、上記室内機の熱負荷を検知する熱負荷検知手段、上記室内機の現在の能力を検知する能力検知手段、上記不足能力に応じて上記室内機の風量を制御する風量制御手段、および上記室内機の風量を検知する風量検知手段を有し、
上記不足能力算出手段は、上記検知された熱負荷と上記検知された能力との差から不足能力を算出し、
上記室外機の制御装置は、上記各室内機の定格風量を判別する定格風量判別手段を有し、
上記制御指数算出手段は、上記室内機毎に上記定格風量に対する上記風量の不足風量比を上記制御指数として算出することを特徴とする請求項１に記載の空気調和装置。
【請求項５】
上記室内機の制御装置は、上記室内機の熱負荷を検知する熱負荷検知手段、上記室内機の現在の能力を検知する能力検知手段、上記不足能力に応じて室内送風機の回転数を制御する回転数制御手段、および上記室内送風機の回転数を検知する回転数検知手段を有し、
上記不足能力算出手段は、上記検知された熱負荷と上記検知された能力との差から不足能力を算出し、
上記室外機の制御装置は、上記各室内機の定格回転数を判別する定格回転数判別手段を有し、
上記制御指数算出手段は、上記室内機毎に上記定格回転数に対する上記回転数の不足回転数比を上記制御指数として算出することを特徴とする請求項１に記載の空気調和装置。
【請求項６】
上記能力制御手段は、所定の値以上の制御指数で運転している上記室内機の制御指数の合計値、または制御指数の大きさに応じて決まる係数を制御指数に乗じた補正制御指数の合計値を用いて上記圧縮機の容量を制御することを特徴とする請求項１乃至５のいずれか１項に記載の空気調和装置。
【請求項７】
上記能力制御手段は、能力が不足している場合に上記圧縮機の回転数を増加させ、過剰な場合に上記圧縮機の回転数を低下させることを特徴とする請求項１乃至６のいずれか１項に記載の空気調和装置。
【請求項８】
上記能力制御手段は、冷房能力が不足している場合に蒸発圧力または蒸発温度を下げ、過剰な場合に蒸発圧力または蒸発温度を上げるように上記圧縮機を制御することを特徴とする請求項１乃至６のいずれか１項に記載の空気調和装置。
【請求項９】
上記能力制御手段は、暖房能力が不足している場合に凝縮圧力または凝縮温度を上げ、逆に過剰な場合に凝縮圧力または凝縮温度を下げるように上記圧縮機を制御することを特徴とする請求項１乃至６のいずれか一項に記載の空気調和装置。
【請求項１０】
上記能力制御手段は、冷房運転において、蒸発圧力または蒸発温度に上限値を設けたことを特徴とする請求項１乃至６のいずれか１項に記載の空気調和装置。
【請求項１１】
上記能力制御手段は、室内の温度に応じて上記蒸発圧力または上記蒸発温度の上限値を決定することを特徴とする請求項１０に記載の空気調和装置。
【発明の詳細な説明】
【技術分野】
【０００１】
この発明は、１台の室外機に複数台の室内機を接続し、暖房または冷房の能力を制御する多室形の空気調和装置に関するものである。
【背景技術】
【０００２】
従来の多室形の空気調和装置では、室内熱交換器を有する複数台の室内機を圧縮機および室外熱交換器を有する１台の室外機にそれぞれ接続している。
そして、空気調和装置の室内機は、各室内機が設置される室内の温度を任意に設定する室内温度設定手段と、室内温度を検知する室内温度検知手段と、室内温度設定手段により設定された温度と室内温度検知手段により検知された室内温度との差温を算出する差温算出手段とを備える。
また、室外機は、各室内機の定格能力を判別する容量判別手段と、各室内機が運転中か停止中かを判別するオンオフ判別手段と、差温が取り得る温度範囲を分割した複数個の温度ゾーン毎且つ室内機の定格能力毎に室内熱負荷に対応して設定された負荷定数を記憶する負荷定数記憶手段と、差温演算手段、容量判別手段、オンオフ判別手段および負荷定数記憶手段より得られるデータを用いて、運転台数に応じて所定周期ごとに圧縮機の容量を算出する容量演算手段とを備える。
それから、運転中の各室内の温度ゾーンの最大値が所定時間以上所定のゾーン以上を連続した場合に、能力供給中の全室内機の負荷定数に所定値を加算し、その所定値を加算した負荷定数に基づいて圧縮機の容量を制御する（例えば、特許文献１参照）。
【０００３】
【特許文献１】特開２００３−２４７７４２号公報
【発明の開示】
【発明が解決しようとする課題】
【０００４】
しかし、このような空気調和装置にあっては、少数の室内機で熱負荷が大きく、多数の室内機で熱負荷が小さい場合に、熱負荷が大きい室内機で、必要な能力を得るまでに多くの時間を要し、快適性を損なう問題がある。特に、他の室内機を低い能力で運転している状態で、ある１台の室内機を起動した場合に、所定の能力を得るために多くの時間を要するという問題がある。
【０００５】
この発明の目的は、上記のような問題点を解決するためになされたものであり、必要な能力を得るまでの時間を短縮し、快適性を向上できる空気調和装置を提供することである。
【課題を解決するための手段】
【０００６】
この発明に係る空気調和装置は、圧縮機を有する１台の室外機に複数台の室内機をそれぞれ接続した空気調和装置において、上記室内機の制御装置は、上記室内機の不足能力を算出する不足能力算出手段を有し、上記室外機の制御装置は、上記不足能力に基づいて上記圧縮機を制御する指標となる制御指数を算出する制御指数算出手段および上記制御指数の最大値または合計値に応じて上記圧縮機の容量を制御する能力制御手段を有する。
【発明の効果】
【０００７】
この発明によれば、すべての室内機で必要な能力を得られ、さらに能力が不足している室内機で短時間に所定の能力を得られるため、快適性を損なうことなく、効率よく空気調和装置を運転できる。
【発明を実施するための最良の形態】
【０００８】
実施の形態１．
図１は、この発明の実施の形態１に係る空気調和装置の冷媒回路図である。
この発明の実施の形態１に係る空気調和装置１は、図１に示すように、圧縮機３、四方弁４、室外熱交換器５および室外送風機６を備える１台の室外機２と、室内熱交換器１２、室内送風機１３および流量制御弁１４を備える３台の室内機１１Ｐ、１１Ｑ、１１Ｒとが互いに液管２１とガス管２２で接続されている。なお、室内機１１の台数を３台として以下説明するが３台に限るものではない。
この空気調和装置１は、四方弁４を切り替えることによって、室内機１１Ｐ、１１Ｑ、１１Ｒが配置された室の全てを冷房する冷房運転モードまたは室の全てを暖房する暖房運転モードで運転される。
【０００９】
次に、この発明の実施の形態１に係る空気調和装置１での冷媒循環状態を運転モード毎に図２および図３を参照して説明する。図２は、この発明の実施の形態１に係る空気調和装置の冷房運転モードにおける冷媒循環状態を示す冷媒回路図である。また、図３は、この発明の実施の形態１に係る空気調和装置の暖房運転モードにおける冷媒循環状態を示す冷媒回路図である。
【００１０】
最初に冷房運転モードの空気調和装置１での冷媒の循環を図２を参照して説明する。
全ての室内機１１Ｐ、１１Ｑ、１１Ｒが冷房運転を行う場合、圧縮機３から吐出された冷媒が室外熱交換器５に供給され、一方、室内機１１Ｐ、１１Ｑ、１１Ｒから戻ってくる冷媒が圧縮機３に吸入されるように四方弁４を切り替える。
圧縮機３から吐出された高温の冷媒蒸気は室外熱交換器５で室外の空気などと熱交換して凝縮し、冷媒液に変化した後、液管２１を通り分岐して室内機１１Ｐ、１１Ｑ、１１Ｒに流入する。冷媒は各室内機１１Ｐ、１１Ｑ、１１Ｒの流量制御弁１４で減圧され低温低圧の気液二相状態に変化した後、室内熱交換器１２に流入し室内の空気などと熱交換して蒸発し、低温低圧の冷媒蒸気に変化し、ガス管２２、四方弁４を通り圧縮機３に戻る。
【００１１】
次に暖房運転モードの空気調和装置１での冷媒の循環を図３を参照して説明する。
全ての室内機１１Ｐ、１１Ｑ、１１Ｒが暖房運転を行う場合、圧縮機３から吐出された冷媒が室内機１１Ｐ、１１Ｑ、１１Ｒに供給され、一方、室外熱交換器５から戻ってくる冷媒が圧縮機３に吸入されるように四方弁４を切り替える。
圧縮機３から吐出された高温の冷媒蒸気は四方弁４、ガス管２２を通り分岐して室内機１１Ｐ、１１Ｑ、１１Ｒに流入し、室内熱交換器１２で空気などと熱交換して凝縮し、高圧の冷媒液に変化し、流量制御弁１４で減圧され低温の気液二相状態に変化し液管２１を通り、室外熱交換器５に流入する。室外熱交換器５では、室外の空気と熱交換して蒸発し、低温低圧の冷媒蒸気に変化し、四方弁４を通り圧縮機３に戻る。
【００１２】
図４は、この発明の実施の形態１に係る室内機制御装置および室外機制御装置のブロック図である。
この発明の実施の形態１に係る室内機１１Ｐ、１１Ｑ、１１Ｒは、それぞれ室内機制御装置１６を備える。また、この発明の実施の形態１に係る室外機２は、室外機制御装置８を備える。そして、室内機制御装置１６は、室外機制御装置８と通信線により接続されている。なお、室内機制御装置１６および室外機制御装置８は、ＣＰＵ、ＲＯＭ、ＲＡＭ、インターフェース回路を有するコンピュータから構成される。
室内機制御装置１６は、図４に示すように、室内機１１の熱負荷を検知する熱負荷検知手段３１、室内機１１の現在の能力を検知する能力検知手段３２、室内機１１の熱負荷と現在の能力の差からなる不足能力を算出する不足能力算出手段３３、および、不足能力のデータを室外機制御装置８へ送信するデータ送信手段３４を有する。
【００１３】
室外機制御装置８は、各室内機１１Ｐ、１１Ｑ、１１Ｒの室内機制御装置１６から送信された不足能力のデータを受信するデータ受信手段３６、各室内機１１Ｐ、１１Ｑ、１１Ｒの定格能力を判別する定格能力判別手段３７、各室内機１１Ｐ、１１Ｑ、１１Ｒの不足能力と定格能力とから各室内機１１Ｐ、１１Ｑ、１１Ｒの定格能力に対する不足能力の比（以下、「不足能力比」と称す）を制御指数として算出する制御指数算出手段としての不足能力比算出手段３８、および、不足能力比の最大値に応じて空気調和装置１の能力を制御する能力制御手段３９を有する。
【００１４】
能力制御手段３９は、能力が不足している場合に圧縮機３の回転数を増加させ、逆に過剰な場合に圧縮機３の回転数を低下させる。なお、能力制御手段３９は、冷房能力が不足している場合に蒸発圧力または蒸発温度を下げ、逆に過剰な場合に蒸発圧力または蒸発温度を上げるように圧縮機３を制御しても良いし、暖房能力が不足している場合に凝縮圧力または凝縮温度を上げ、逆に過剰な場合に凝縮圧力または凝縮温度を下げるように圧縮機３を制御しても良い。
また、冷房運転において、蒸発圧力または蒸発温度に上限値を設けて、蒸発温度が上がり過ぎないように制御することにより、室内の空気を冷却するだけではなく、除湿を行うことができる効果が得られる。
また、室内の空気温度に応じて蒸発圧力または蒸発温度の上限値を決めることにより、室内の湿度を所定の値以下に抑えることができ、快適性が向上する効果が得られる。
【００１５】
次に、この発明の実施の形態１に係る空気調和装置１の能力を制御するための圧縮機３の容量制御につい説明する。
各室内機１１Ｐ、１１Ｑ、１１Ｒにおいては、熱負荷と現在の能力とを検知し、検知した熱負荷と現在の能力との差から各室内機１１Ｐ、１１Ｑ、１１Ｒの不足能力を算出し、算出した不足能力を室外機制御装置８に送信する。
室外機２においては、各室内機１１Ｐ、１１Ｑ、１１Ｒの定格能力を判別し、判別した定格能力と各室内機１１Ｐ、１１Ｑ、１１Ｒからの不足能力とから、各室内機１１Ｐ、１１Ｑ、１１Ｒの不足能力比を制御指数として算出し、算出した不足能力比の最大値に応じて圧縮機３の容量を制御する。この際、不足能力比が大きいほど圧縮機３の容量の制御量を大きくする。
【００１６】
この発明の実施の形態１に係る空気調和装置１では、すべての室内機１１Ｐ、１１Ｑ、１１Ｒで必要な能力を求め、さらに能力が不足している室内機１１で短時間に所定の能力を得られるため、快適性を損なうことなく、効率よく運転できる。
【００１７】
なお、この発明の実施の形態１に係る空気調和装置１では、制御指数である不足能力比の最大値に応じて圧縮機３の容量を制御したが、不足能力比が所定の値以上の不足能力比の合計値、または不足能力比の大きさに応じて決まる係数、たとえば不足能力比が大きいほど大きな値の係数を不足能力比に乗じた補正制御指数としての補正不足能力比の合計値に応じて圧縮機３の容量を制御しても、実施の形態１と同様の効果が得られる。
また、能力が不足する他の室内機１１の状態も考慮して圧縮機の容量が制御でき、室内機１１Ｐ、１１Ｑ、１１Ｒで必要な能力を得るための時間を短縮できる。
【００１８】
また、実施の形態１では、とくに冷媒の種類を示していないが、超臨界状態で動作する二酸化炭素や可燃性のハイドロカーボンなどの自然冷媒、または地球温暖化係数が小さいフロン系冷媒を利用しても、同様の効果が得られるとともに、地球温暖化を抑制する効果がある。
【００１９】
実施の形態２．
この発明の実施の形態２に係る空気調和装置は、この発明の実施の形態１に係る空気調和装置１と室内機制御装置１６Ｂおよび室外機制御装置８Ｂが異なっており、それ以外は同様であるので、同様な部分に同じ符号を付記し説明は省略する。
図５は、この発明の実施の形態２に係る室内機制御装置および室外機制御装置のブロック図である。
この発明の実施の形態２に係る室内機制御装置１６Ｂは、この発明の実施の形態１に係る室内機制御装置１６の熱負荷検知手段３１、能力検知手段３２および不足能力算出手段３３の代わりに室内温度設定手段４１、室内温度検知手段４２および差温算出手段４３を有し、差温検出手段４３が不足能力算出手段の役割を果たすことが異なり、それ以外は同様であるので、同様な部分に同じ符号を付記し説明は省略する。
【００２０】
室内温度設定手段４１は、各室内機１１Ｐ、１１Ｑ、１１Ｒが設置される室内の温度を任意に設定する。室内温度検知手段４２は、室内温度を検知する。差温算出手段４３は、室内温度設定手段４１により設定された温度と室内温度検知手段４２により検知された室内温度との差温を不足能力として算出する。この差温のデータはデータ送信手段３４により室外機制御装置８Ｂに送られる。
【００２１】
この発明の実施の形態２に係る室外機制御装置８Ｂは、この発明の実施の形態１に係る室外機制御装置８の制御指数算出手段である不足能力比算出手段３８および能力制御手段３９の代わりに制御指数算出手段としての必要能力算出手段３８Ｂおよび能力制御手段３９Ｂを有することが異なり、それ以外は同様であるので、同様な部分に同じ符号を付記し説明は省略する。
必要能力算出手段３８Ｂは、各室内機１１Ｐ、１１Ｑ、１１Ｒの差温に各室内機１１Ｐ、１１Ｑ、１１Ｒの定格能力を乗じた必要能力を制御指数として算出する。能力制御手段３９Ｂは、必要能力の最大値に応じて圧縮機３の容量を制御する。
【００２２】
この発明の実施の形態２に係る空気調和装置では、すべての室内機１１Ｐ、１１Ｑ、１１Ｒで必要な能力を求め、さらに能力が不足している室内機１１で短時間に所定の能力を得られるため、快適性を損なうことなく、効率よく運転できる。
また、制御指数である必要能力を差温のみから算出でき、必要能力算出手段３８Ｂでの演算が簡素化できるとともに、能力制御手段３９Ｂも必要能力算出手段３８Ｂで算出した１つの必要能力だけを用いて圧縮機３の容量を制御するので制御が簡素化できる。
【００２３】
なお、この発明の実施の形態２に係る空気調和装置１では、制御指数である必要能力に応じて圧縮機３の容量を制御したが、必要能力が所定の値以上の必要能力の合計値、または必要能力の大きさに応じて決まる係数、たとえば必要能力が大きいほど大きな値の係数を必要能力に乗じた補正制御指数である補正必要能力の合計値に応じて圧縮機３の容量を制御しても、実施の形態２と同様の効果が得られる。
【００２４】
実施の形態３．
この発明の実施の形態３に係る空気調和装置は、この発明の実施の形態１に係る空気調和装置１と室内機制御装置１６Ｃおよび室外機制御装置８Ｃが異なっており、それ以外は同様であるので、同様な部分に同じ符号を付記し説明は省略する。
図６は、この発明の実施の形態３に係る室内機制御装置および室外機制御装置のブロック図である。
この発明の実施の形態３に係る室内機制御装置１６Ｃは、この発明の実施の形態１に係る室内機制御装置１６に風量制御手段５１および風量検知手段５２が追加され、データ送信手段３４の代わりにデータ送信手段３４Ｃを有することが異なり、それ以外は同様であるので、同様な部分に同じ符号を付記し説明は省略する。
【００２５】
風量制御手段５１は、不足能力算出手段３３が算出した不足能力に応じて室内送風機１３の風量を制御する。風量検知手段５２は、室内送風機１３の現在の風量を検知し、データ送信手段３４Ｃに送る。データ送信手段３４Ｃは、風量検知手段５２から送られた現在の風量を室外機制御装置８Ｃに送る。
【００２６】
室外機制御装置８Ｃは、室内機制御装置１６Ｃから送信された風量データを受信するデータ受信手段３６Ｃ、各室内機１１Ｐ、１１Ｑ、１１Ｒの定格風量を判別する定格風量判別手段５３、各室内機１１Ｐ、１１Ｑ、１１Ｒにおける現在の風量と定格風量とから各室内機１１Ｐ、１１Ｑ、１１Ｒの定格風量に対する現在の風量の比（以下、「不足風量比」と称す）を制御指数として算出する制御指数算出手段としての不足風量比算出手段５４、および算出した不足風量比の最大値に応じて空気調和装置の能力を制御する能力制御手段５５を有する。
【００２７】
次に、この発明の実施の形態３に係る空気調和装置の能力を制御するための圧縮機３の容量制御につい説明する。
各室内機１１Ｐ、１１Ｑ、１１Ｒにおいて、熱負荷と現在の能力とを検知し、検知した熱負荷と現在の能力から各室内機１１Ｐ、１１Ｑ、１１Ｒの不足能力を算出し、算出した不足能力に応じて室内送風機１３の風量を制御する。また、各室内機１１Ｐ、１１Ｑ、１１Ｒにおいて、室内送風機１３の現在の風量を検知して室外機制御装置８Ｃに送信する。
室外機２においては、各室内機１１Ｐ、１１Ｑ、１１Ｒの定格風量を判別し、判別した定格風量と各室内機１１Ｐ、１１Ｑ、１１Ｒからの現在の風量とから、各室内機１１Ｐ、１１Ｑ、１１Ｒの不足風量比を算出し、算出した不足風量比の最大値に応じて圧縮機３の容量を制御する。この際、不足風量比が大きいほど圧縮機３の容量の制御量を大きくする。
【００２８】
この発明の実施の形態３に係る空気調和装置では、すべての室内機１１Ｐ、１１Ｑ、１１Ｒで必要な能力を求め、さらに能力が不足している室内機１１で短時間に所定の能力を得られるため、快適性を損なうことなく、効率よく運転できる。
また、この発明の実施の形態３に係る空気調和装置では、室内送風機１３の風量をその室内機１１での不足能力に応じて制御でき、熱負荷と能力との差が小さい場合の風量を小さくでき、快適性が向上する。
【００２９】
なお、実施の形態３では、風量データを室内機１１Ｐ、１１Ｑ、１１Ｒから室外機に送信し室外機で不足風量比を演算し、演算した不足風量比の最大値に応じて圧縮機３の容量を制御したが、室内機１１Ｐ、１１Ｑ、１１Ｒの不足能力の最大値にその室内機１１の定格能力との積に応じて圧縮機３の容量を制御しても同様の効果が得られる。
【００３０】
また、実施の形態３では、制御指数である不足風量比の最大値に応じて圧縮機３の容量を制御したが、不足風量比が所定の値以上の不足風量比の合計値、または不足風量比の大きさに応じて決まる係数、たとえば不足風量比が大きいほど大きな値の係数を不足風量比に乗じた補正制御指数である補正不足風量比の合計値に応じて圧縮機３の容量を制御しても、実施の形態３と同様の効果が得られる。
また、風量が不足する他の室内機１１の状態も考慮して圧縮機３の容量が制御でき、室内機１１Ｐ、１１Ｑ、１１Ｒで必要な能力を得るための時間を短縮できる。
【００３１】
実施の形態４．
この発明の実施の形態４に係る空気調和装置は、この発明の実施の形態３に係る空気調和装置と室内機制御装置１６Ｄおよび室外機制御装置８Ｄが異なっており、それ以外は同様であるので、同様な部分に同じ符号を付記し説明は省略する。
図７は、この発明の実施の形態４に係る室内機制御装置および室外機制御装置のブロック図である。
この発明の実施の形態４に係る室内機制御装置１６Ｄは、この発明の実施の形態３に係る室内機制御装置１６Ｃの風量制御手段５１、風量検知手段５２およびデータ送信手段３４Ｃの代わりに回転数制御手段６１、回転数検知手段６２およびデータ送信手段３４Ｄを有することが異なり、それ以外は同様であるので、同様な部分に同じ符号を付記し説明は省略する。
【００３２】
回転数制御手段６１は、不足能力算出手段３３が算出した不足能力に応じて室内送風機１３の回転数を制御する。回転数検知手段６２は、室内送風機１３の現在の回転数を検知し、データ送信手段３４Ｄに送る。データ送信手段３４Ｄは、回転数検知手段６２から送られた現在の回転数を室外機制御装置８Ｄに送る。
【００３３】
室外機制御装置８Ｄは、室内機制御装置１６Ｄから送信された回転数データを受信するデータ受信手段３６Ｄ、各室内機１１Ｐ、１１Ｑ、１１Ｒの定格風量が得られる定格回転数を判別する定格回転数判別手段６３、各室内機１１Ｐ、１１Ｑ、１１Ｒにおける現在の回転数と定格回転数とから各室内機１１Ｐ、１１Ｑ、１１Ｒの定格回転数に対する現在の回転数の比（以下、「不足回転数比」と称す）を制御指数として算出する制御指数算出手段としての不足回転数比算出手段６４、および算出した不足回転数比の最大値に応じて空気調和装置の能力を制御する能力制御手段６５を有する。
【００３４】
次に、この発明の実施の形態４に係る空気調和装置の能力を制御するための圧縮機３の容量制御につい説明する。
各室内機１１Ｐ、１１Ｑ、１１Ｒにおいて、熱負荷と現在の能力とを検知し、検知した熱負荷と現在の能力から各室内機１１Ｐ、１１Ｑ、１１Ｒの不足能力を算出し、算出した不足能力に応じて室内送風機１３の回転数を制御する。また、各室内機１１Ｐ、１１Ｑ、１１Ｒにおいて、室内送風機１３の現在の回転数を検知して室外機制御装置８Ｄに送信する。
室外機２においては、各室内機１１Ｐ、１１Ｑ、１１Ｒの定格回転数を判別し、判別した定格回転数と各室内機１１Ｐ、１１Ｑ、１１Ｒからの現在の回転数とから、各室内機１１Ｐ、１１Ｑ、１１Ｒの不足回転数比を算出し、算出した不足回転数比の最大値に応じて圧縮機３の容量を制御する。この際、不足回転数比が大きいほど圧縮機３の容量の制御量を大きくする。
【００３５】
この発明の実施の形態４に係る空気調和装置では、すべての室内機１１Ｐ、１１Ｑ、１１Ｒで必要な能力を求め、さらに能力が不足している室内機１１で短時間に所定の能力を得られるため、快適性を損なうことなく、効率よく運転できる。
また、この発明の実施の形態４に係る空気調和装置では、室内送風機１３の回転数をその室内機１１での不足能力に応じて制御でき、熱負荷と能力との差が小さい場合の風量を小さくでき、快適性が向上する。
【００３６】
なお、実施の形態４では、回転数データを室内機１１Ｐ、１１Ｑ、１１Ｒから室外機に送信し室外機で不足回転数比を演算し、演算した不足回転数比の最大値に応じて圧縮機３の容量を制御したが、室内機１１の不足能力の最大値とその室内機１１の定格能力との積に応じて圧縮機３の容量を制御しても同様の効果が得られる。
【００３７】
また、実施の形態４では、制御指数である不足回転数比の最大値に応じて圧縮機３の容量を制御したが、不足回転数比が所定の値以上の不足回転数比の合計値、または不足回転数比の大きさに応じて決まる係数、たとえば不足回転数比が大きいほど大きな値の係数を不足回転数比に乗じた補正制御指数である補正不足回転数比の合計値に応じて圧縮機３の容量を制御しても、実施の形態４と同様の効果が得られる。
【図面の簡単な説明】
【００３８】
【図１】この発明の実施の形態１に係る空気調和装置の冷媒回路図である。
【図２】この発明の実施の形態１に係る空気調和装置の冷房運転モードにおける冷媒の流れを示す冷媒回路図である。
【図３】この発明の実施の形態１に係る空気調和装置の暖房運転モードにおける冷媒の流れを示す冷媒回路図である。
【図４】この発明の実施の形態１に係る室内機制御装置および室外機制御装置のブロック図である。
【図５】この発明の実施の形態２に係る室内機制御装置および室外機制御装置のブロック図である。
【図６】この発明の実施の形態３に係る室内機制御装置および室外機制御装置のブロック図である。
【図７】この発明の実施の形態４に係る室内機制御装置および室外機制御装置のブロック図である。
【符号の説明】
【００３９】
１  空気調和装置、２  室外機、３  圧縮機、４  四方弁、５  室外熱交換器、６  室外送風機、８、８Ｂ、８Ｃ、８Ｄ  室外機制御装置、１１、１１Ｐ、１１Ｑ、１１Ｒ  室内機、１２  室内熱交換器、１３  室内送風機、１４  流量制御弁、１６、１６Ｂ、１６Ｃ、１６Ｄ  室内機制御装置、２１  液管、２２  ガス管、３１  熱負荷検知手段、３２  能力検知手段、３３  不足能力算出手段、３４、３４Ｃ、３４Ｄ  データ送信手段、３６、３６Ｃ、３６Ｄ  データ受信手段、３７  定格能力判別手段、３８  不足能力比算出手段、３８Ｂ  必要能力算出手段、３９、３９Ｂ、５５、６５  能力制御手段、４１  室内温度設定手段、４２  室内温度検知手段、４３  差温算出手段、５１  風量制御手段、５２  風量検知手段、５３  定格風量判別手段、５４  不足風量比算出手段、６１  回転数制御手段、６２  回転数検知手段、６３  定格回転数判別手段、６４  不足回転数比算出手段。
【図１】
2009047367.tif 000003
【図２】
2009047367.tif 000004
【図３】
2009047367.tif 000005
【図４】
2009047367.tif 000006
【図５】
2009047367.tif 000007
【図６】
2009047367.tif 000008
【図７】
2009047367.tif 000009